(57)【要約】      （修正有）【課題】空気中の浮遊粒子または細菌、塵、ダニなどのアレルゲンを有効に阻隔するとともに、吸気量を維持して作動の功能を確保する空気清浄機を提供する。【解決手段】空気清浄機には排気ユニット１および集塵ユニット２を含む。排気ユニット１は外部の気流を吸い込むのに用いられ、かつ排気ユニット１には高電圧ユニット１４を含む。集塵ユニット２は排気ユニット１の一方に組み立てられる。集塵ユニット２にはフレーム２１、集塵体２２と電荷体２３を含む。集塵体２２と電荷体２３は順序に従ってフレーム２１内に収容され、かつ集塵体２２と電荷体２３は互いに接触しないように形成される。集塵体２２には第一連接端子２２２が設けられ、電荷体２３には第二連接端子２３２が設けられる。第一連接端子２２２と第二連接端子２３２は全てフレーム２１の外に露出するように形成され、かつそれぞれ高電圧ユニット１４と電気的に接続される。【選択図】図１
0003178634.tif 000002
【実用新案登録請求の範囲】
【請求項１】
一個の排気ユニット（１）および一個の集塵ユニット（２）を含み、排気ユニット（１）は外部の気流を吸い込むのに用いられ、かつ排気ユニット（１）には一個の高電圧ユニット（１４）が含まれ、集塵ユニット（２）は排気ユニット（１）の一方に組み立てられ、集塵ユニット（２）には一個のフレーム（２１）、一個の集塵体（２２）と一個の電荷体（２３）が含まれ、集塵体（２２）と電荷体（２３）は順序に従ってフレーム（２１）内に収容され、かつ集塵体（２２）と電荷体（２３）は互いに接触しないように形成され、集塵体（２２）には一個の第一連接端子（２２２）が設けられ、電荷体（２３）には一個の第二連接端子（２３２）が設けられ、第一連接端子（２２２）と第二連接端子（２３２）は全てフレーム（２１）の外に露出するように形成され、かつそれぞれ高電圧ユニット（１４）と電気的に接続されることを特徴とする空気清浄機。
【請求項２】
集塵ユニット（２）には他に二個の組み立て部材（２４）と二個の固定部材（２５）が含まれ、二個の組み立て部材（２４）は集塵体（２２）と電荷体（２３）を収容するのに用いられ、かつ二個の固定部材（２５）はそれぞれ少なくとも一個のボルトを利用して集塵体（２２）と電荷体（２３）を位置合わせして固定することを特徴とする請求項１に記載の空気清浄機。
【請求項３】
二個の組み立て部材（２４）は同じ構造を有する二個の相対する柱体からなり、かつフレーム（２１）の相対する両側の内周壁に係止することができ、二個の組み立て部材（２４）には複数個の挿入溝（２４１）が設けられ、複数個の挿入溝（２４１）は互いに位置ずれするように形成されることを特徴とする請求項２に記載の空気清浄機。
【請求項４】
集塵体（２２）は複数個の層板（２２１）が間隔をもって積み重なるように形成され、電荷体（２３）は複数個の電極線（２３１）が間隔をもって引っ張るように形成され、複数個の層板（２２１）と複数個の電極線（２３１）は全て導電性のよい金属からなることを特徴とする請求項１、２または３に記載の空気清浄機。
【請求項５】
排気ファン（１２）には一個の座板（１２ａ）と一個のファン本体（１２ｂ）が含まれ、ファン本体（１２ｂ）は座板（１２ａ）の一方に結合され、座板（１２ａ）のもう一方には複数個の立て板（１２１）によって囲まれた一個の収容空間（１２２）が形成され、かつ座板（１２ａ）には複数個の貫穿した窓口（１２３）が形成され、複数個の窓口（１２３）は収容空間（１２２）に対応して連通するように形成されることを特徴とする請求項１、２または３に記載の空気清浄機。
【請求項６】
集塵ユニット（２）は複数個の立て板（１２１）によって囲まれるように形成された収容空間（１２２）内に収容されることを特徴とする請求項５に記載の空気清浄機。
【請求項７】
高電圧ユニット（１４）には一個の高圧電源（１４ａ）と一個の高圧集塵発生装置（１４ｂ）が含まれ、高圧電源（１４ａ）は高圧集塵発生装置（１４ｂ）と互いに電気的に接続するように形成され、かつそれぞれはその内の一個の立て板（１２１）の上に設けられ、さらに高圧集塵発生装置（１４ｂ）を固設する立て板（１２１）の内周壁には他に二個の電気的接点が設けられることを特徴とする請求項５に記載の空気清浄機。
【請求項８】
フレーム（２１）は複数個の板材によって囲むように形成される一個の中空のフレームからなり、フレーム（２１）は収容空間（１２２）内に係止され、かつフレーム（２１）の側壁には二個の欠け溝（２１１）が設けられ、二個の欠け溝（２１１）は位置ずれするように設けられることを特徴とする請求項７に記載の空気清浄機。
【請求項９】
第一連接端子（２２２）は集塵体（２２）の側端縁に突き出る一個の接点からなり、第一連接端子（２２２）はフレーム（２１）の側壁に設けられるその内の一個の欠け溝（２１１）の中に対応するように設けられ、かつ高圧集塵発生装置（１４ｂ）のその内の一個の電気的接点に電気的に接続するように用いられ、第二連接端子（２３２）は電荷体（２３）の側端縁に突き出る一個の接点からなり、第二連接端子（２３２）はフレーム（２１）の側壁に設けられるもう一個の欠け溝（２１１）の中に対応するように設けられ、かつ高圧集塵発生装置（１４ｂ）のもう一個の電気的接点に電気的に接続するように用いられることを特徴とする請求項８に記載の空気清浄機。
【請求項１０】
排気ユニット（１）は一個のエアカバー（１１）、一個の排気ファン（１２）および一個の封止板（１３）によって組み立てられ、排気ファン（１２）はエアカバー（１１）内に収容され、かつ封止板（１３）によってエアカバー（１１）の開口を封止するように形成されることを特徴とする請求項１、２または３に記載の空気清浄機。
【請求項１１】
排気ユニット（１）は一個のエアカバー（１１）、一個の排気ファン（１２）および一個の封止板（１３）によって組み立てられ、排気ファン（１２）はエアカバー（１１）の内に収容され、かつ封止板（１３）によってエアカバー（１１）の開口を封止するように形成されることを特徴とする請求項５に記載の空気清浄機。
【請求項１２】
エアカバー（１１）には一個のカバー本体（１１ａ）と一個の底座（１１ｂ）が含まれ、底座（１１ｂ）はカバー本体（１１ａ）の一個の側壁に取り外し自在に取り付けられ、カバー本体（１１ａ）には他に一個の排気口（１１１）が設けられ、排気口（１１１）はカバー本体（１１ａ）の上方に位置するように形成されることを特徴とする請求項１０に記載の空気清浄機。
【請求項１３】
エアカバー（１１）には一個のカバー本体（１１ａ）と一個の底座（１１ｂ）が含まれ、底座（１１ｂ）はカバー本体（１１ａ）の一個の側壁に取り外し自在に取り付けられ、カバー本体（１１ａ）には他に一個の排気口（１１１）が設けられ、排気口（１１１）はカバー本体（１１ａ）の上方に位置するように形成されることを特徴とする請求項１１に記載の空気清浄機。
【請求項１４】
封止板（１３）はエアカバー（１１）の開口側に組み立てられ、封止板（１３）には一個の吸気口（１３１）が設けられ、吸気口（１３１）は収容空間（１２２）に対応して連通するように形成され、かつ吸気口（１３１）には一個のフィルターが設けられることを特徴とする請求項１１に記載の空気清浄機。
【考案の詳細な説明】
【技術分野】
【０００１】
本考案は、空気清浄機に関するもので、特に静電気による集塵効果を備えた空気清浄機に係るものである。
【背景技術】
【０００２】
空気中に漂って散布する浮遊粒子または細菌、塵、ダニなどのアレルゲンは、ややもすれば空気品質の良し悪しに影響を及ぼす主な要因であり、それ故に、多くの室内では空気清浄機（例えば中華民国公告第Ｍ２５９１３７号の「空気清浄機」）を使用して空気の品質を改善することにより、より清浄な空気を人体に吸い込ませることができるように図られている。
【０００３】
従来の空気清浄機として、例えば図５に示すように、従来の空気清浄機９には一個のエアカバー９１、一個の排気ファン９２、一個のフィルター９３および一個の封止板９４が含まれる。排気ファン９２とフィルター９３は順序に従ってエアカバー９１の内に収容され、かつ封止板９４によってエアカバー９１が封止される。その中、エアカバー９１の周壁には一個の排気口９１１が設けられ、排気ファン９２の一方には一個の吸気道９２１が接続され、吸気道９２１内にはＨＥＰＡフィルター９３が設けられる。フィルター９３は排気ファン９２の一方に設けられ、かつ吸気道９２１に完全に位置合わせるように形成される。封止板９４には一個の吸気口９４１が設けられ、吸気口９４１は吸気道９２１と互いに対向するように形成される。
【０００４】
これにより、排気ファン９２を起動して外部の空気を吸い込む時、外部の空気は吸気口９４１を経てエアカバーの内に進入し、さらにフィルター９３と吸気道９２１の内のＨＥＰＡフィルターを通過して共同で空気中に含まれる浮遊粒子または細菌、塵、ダニなどのアレルゲンをろ過した後、再び吸気道９２１を経てろ過された空気を排気口９１１まで導引して排出するようにしたものがある。
【先行技術文献】
【特許文献】
【０００５】
【特許文献１】中華民国公告第Ｍ２５９１３７号
【考案の概要】
【考案が解決しようとする課題】
【０００６】
しかし、従来の空気清浄機ではフィルター９３（ＨＥＰＡフィルターを含む）をろ過部材としているが、フィルター９３のろ過効果はややもすればろ過孔の口径の選択によって決められる。そのため、フィルター９３のろ過孔の口径が浮遊粒子または細菌、塵、ダニなどのアレルゲンの粒径より大きい場合、フィルター９３はあるべきろ過効果を発揮することができないため、空気中の浮遊粒子または細菌、塵、ダニなどのアレルゲンは依然として空気の流動に従って空気の中で漂って散布してしまうことになる。また、フィルター９３のろ過孔の口径を選択的に比較的小さくし、浮遊粒子または細菌、塵、ダニなどのアレルゲンを完全に阻隔することができる場合であっも、却って微粒子が積み重なり易いため、空気清浄機９によって吸い込む空気量が明らかに不足になり、空気清浄機９の作動効率が低下してしまうという問題点があった。
【０００７】
さらに、従来の空気清浄機９は、よりよいろ過効果を確保するべく、フィルター９３に大量な微粒子が積み重なる前に、定期的にフィルター９３を取り替えなければならない。しかし、このことは、それによってフィルター９３のろ過効果を維持することはできるが、消費者にとっては使用上において大変不便になるとともに、コスト的にも大変な負担になるという問題点があった。
【０００８】
上述したような各種の問題点を解決すべく、有効な集塵効果を確実に有するとともに、作動効率を維持することができる空気清浄機を新たに提供する必要がある。
【０００９】
本考案はこのような問題点に鑑みて考案されたものであって、その主な目的とするところは、空気中の浮遊粒子または細菌、塵、ダニなどのアレルゲンを有効に阻隔するとともに、吸気量を維持して高い作動効率を確保することができる空気清浄機を提供することにある。
【００１０】
本考案の第二の目的は、フィルターの取り替えに掛かるコストを節約し、長期的な使用を維持できるとともに、使用上の利便性を相対的に高めることができる空気清浄機を提供することである。
【課題を解決するための手段】
【００１１】
上記目的を達成するために、本考案による空気清浄機は、一個の排気ユニットおよび一個の集塵ユニットを含む。排気ユニットは外部の気流を吸い込むのに用いられ、かつ排気ユニットには一個の高電圧ユニットが含まれる。集塵ユニットは排気ユニットの一方に組み立てられ、集塵ユニットには一個のフレーム、一個の集塵体と一個の電荷体が含まれる。塵体と電荷体は順序に従ってフレーム内に収容され、かつ集塵体と電荷体は互いに接触しないように形成される。集塵体には一個の第一連接端子が設けられ、電荷体には一個の第二連接端子が設けられる。第一連接端子と第二連接端子は全てフレームの外に露出するように形成され、かつそれぞれ高電圧ユニットと電気的に接続される。
【００１２】
また、集塵ユニットは他に二個の組み立て部材と二個の固定部材を含むこともできる。二個の組み立て部材は集塵体と電荷体を収容するのに用いられ、かつ二個の固定部材はそれぞれ少なくとも一個のボルトを利用して集塵体と電荷体を位置合わせして固定する。また、二個の組み立て部材は同じ構造を有する二個の相対する柱体からなり、かつフレームの相対する両側の内周壁に係止することができ、二個の組み立て部材には複数個の挿入溝が設けられ、複数個の挿入溝は互いに位置ずれるように形成されることもできる。また、集塵体は複数個の層板が間隔をもって積み重なるように形成され、電荷体は複数個の電極線が間隔をもって引っ張るように形成され、複数個の層板と複数個の電極線は全て導電性のよい金属からなることもできる。また、排気ファンには一個の座板と一個のファン本体が含まれ、ファン本体は座板の一方に結合され、座板のもう一方には複数個の立て板によって囲むように一個の収容空間が形成され、かつ座板には複数個の貫穿した窓口が形成され、複数個の窓口は収容空間に対応して連通するように形成されることもできる。また、集塵ユニットは複数個の立て板によって囲むように形成される収容空間の内に収容されることもできる。また、高電圧ユニットには一個の高圧電源と一個の高圧集塵発生装置が含まれ、高圧電源は高圧集塵発生装置と互いに電気的に接続するように形成され、かつそれぞれはその内の一個の立て板の上に設けられ、さらに高圧集塵発生装置を固設する立て板の内周壁には他に二個の電気的接点が設けられることもできる。また、フレームは複数個の板材によって囲むように形成される一個の中空のフレームからなり、フレームは収容空間の内に係止され、かつフレームの側壁には二個の欠け溝が設けられ、二個の欠け溝は位置ずれるように設けられることもできる。また、第一連接端子は集塵体の側端縁に突き出る一個の接点からなり、第一連接端子はフレームの側壁に設けられるその内の一個の欠け溝の中に対応するように設けられ、かつ高圧集塵発生装置のその内の一個の電気的接点に電気的に接続するように用いられ、第二連接端子は電荷体の側端縁に突き出る一個の接点からなり、第二連接端子はフレームの側壁に設けられるもう一個の欠け溝の中に対応するように設けられ、かつ高圧集塵発生装置のもう一個の電気的接点に電気的に接続するように用いられることもできる。また、排気ユニットは一個のエアカバー、一個の排気ファンと一個の封止板によって組み立てられ、排気ファンはエアカバーの内に収容され、かつ封止板によってエアカバーの開口を封止するように形成されることもできる。また、エアカバーには一個のカバー本体と一個の底座が含まれ、底座はカバー本体の一個の側壁に取り外し自在に取り付けられ、カバー本体には他に一個の排気口が設けられ、排気口はカバー本体の上方に位置するように形成されることもできる。また、封止板はエアカバーの開口側に組み立てられ、封止板には一個の吸気口が設けられ、吸気口は収容空間に対応して連通するように形成され、かつ吸気口には一個のフィルターが設けられることもできる。
【考案の効果】
【００１３】
本考案の空気清浄機によれば、空気中の浮遊粒子または細菌、塵、ダニなどのアレルゲンを有効に阻隔するとともに、吸気量を維持して高い作動効率を確保することができるという利点がある。
【００１４】
本考案の空気清浄機によれば、フィルターの取り替えに掛かるコストを節約し、長期的な使用を維持するとともに、使用上の利便性を相対的に高めることができるという利点がある。
【図面の簡単な説明】
【００１５】
【図１】図１は、本考案の空気清浄機の分解斜視図である。
【図２】図２は、本考案の空気清浄機の一部の部材の分解斜視図である。
【図３】図３は、本考案の空気清浄機の作動時の断面の説明図である。
【図４】図４は、本考案の空気清浄機の一部の作動時の断面の説明図である。
【図５】図５は、従来の空気清浄機の分解斜視図である。
【考案を実施するための形態】
【００１６】
本考案の実施の形態について、以下、図面を参照して説明する。
【００１７】
図１は本考案の空気清浄機の分解斜視図で、図２は、本考案の空気清浄機の一部の部材の分解斜視図である。図１、２を参照すると、空気清浄機は一個の排気ユニット１と一個の集塵ユニット２を含む。集塵ユニット２は排気ユニット１と互いに連接するように形成され、そして集塵ユニット２によって空気中に含まれる浮遊粒子または細菌、塵、ダニなどのアレルゲンをろ過する。
【００１８】
排気ユニット１は一般的に外部の空気を吸い込む部材からなり、その構成、構造については制限する必要がない。ここでは、排気ユニット１の比較的よい実施例を図１に示す。排気ユニット１は一個のエアカバー１１、一個の排気ファン１２と一個の封止板１３によって組み立てられる。排気ファン１２はエアカバー１１内に収容され、さらに封止板１３によってエアカバー１１の開口を封止する。
【００１９】
本実施例において、エアカバー１１には一個のカバー本体１１ａと一個の底座１１ｂが含まれる。底座１１ｂはカバー本体１１ａの一個の側壁に取り外し自在に取り付けられることにより、各式の部材を組み立てることができる。カバー本体１１ａには他に一個の排気口１１１が設けられる。排気口１１１は、好ましくは、カバー本体１１ａの上方に位置するように形成されることにより、排気口１１１からろ過される空気を排出することができる。排気ファン１２には一個の座板１２ａと一個のファン本体１２ｂが含まれる。ファン本体１２ｂは座板１２ａの一方に結合され、座板１２ａのもう一方には複数個の立て板１２１によって囲まれた一個の収容空間１２２が形成され、かつ座板１２ａの収容空間１２２内に位置する部分は開放するように形成される。
【００２０】
図１、２に示すように、座板１２ａには複数個の貫穿した窓口１２３が形成される。複数個の窓口１２３は、対応する収容空間１２２に連通するように形成されることにより、ファン本体１２ｂが駆動された時、複数個の窓口１２３から空気を引き込むことができる。封止板１３は螺設、係合または熔接などの適当な結合方式を利用してエアカバー１１の開口側に取り付けることができ、かつ封止板１３には一個の吸気口１３１が設けられる。吸気口１３１も、対応する収容空間１２２に連通するように形成され、さらに吸気口１３１には、好ましくは、選択的に一個のフィルターが取り付けられ、上記フィルターによって初期的に空気中に含まれる粒径の大きい物質をろ過する。
【００２１】
その他に、集塵ユニット２に必要な電源供給に合わせるべく、排気ユニット１には他に一個の高電圧ユニット１４が含まれる。高電圧ユニット１４は集塵ユニット２と互いに電気的に接続するように形成されることにより、集塵ユニット２に高圧電流を供給することができる。本実施例において、高電圧ユニット１４には一個の高圧電源１４ａと一個の高圧集塵発生装置１４ｂが含まれる。高圧集塵発生装置１４ｂは高圧電源１４ａと互いに電気的に接続される。さらに、高圧電源１４ａと高圧集塵発生装置１４ｂはそれぞれその内の一個の立て板１２１の上に設けられる。高圧集塵発生装置１４ｂを固設する立て板１２１の内周壁には他に二個の電気的接点（図示なし）が設けられる。この二個の電気的接点は集塵ユニット２が電気的に接続するのに用いられる。その中、電気供給部材の配置と選択は上記技術分野を熟知した者にとっては容易に理解できるもので、さらにその需要性に基づいて変化することもできるため、ここではその詳細を割愛する。
【００２２】
集塵ユニット２は一個を設置するか、または図１に示すように、選択的に並列になるように二個を設置することができる。集塵ユニット２を排気ユニット１に合わせて適当な数を選択することは容易に理解できるため、以下では図面に基づいて集塵ユニットの設置について詳細に説明するが、その数については制限されるものではない。
【００２３】
再び図１、２を参照すると、集塵ユニット２は排気ユニット２の一方に組み立てられ、好ましくは、複数個の立て板１２１によって囲まれる収容空間１２２の内に収容される。また、図２に示すように、集塵ユニット２には一個のフレーム２１、一個の集塵体２２と一個の電荷体２３が含まれる。集塵体２２と電荷体２３は順序に従ってフレーム２１内に収容され、かつ集塵体２２と電荷体２３は互いに接触しないように形成されることにより、集塵体２２と電荷体２３はそれぞれ高電圧ユニット１４と互いに電気的に接続するように形成される。その中、集塵体２２と電荷体２３は係止、熔接などの各種の結合方式を利用してフレーム２１の内に組み立てることができ、いわゆる集塵体２２と電荷体２３は互いに非接触状態を確保できることを原則とする。
【００２４】
本考案の実施例において、フレーム２１は複数個の板材によって囲むように形成される一個の中空のフレームからなる。フレーム２１は収容空間１２２内に係止され、かつフレーム２１の側壁には二個の欠け溝２１１が設けられる。二個の欠け溝２１１は、好ましくは図面に示すように、位置ずれされて設けられることにより、集塵体２２と電荷体２３が電気的に接続された時、互いが接触して干渉が生じるのを避けることができる。
【００２５】
また、集塵体２２は導電性部材によって製造される階層の構造からなり、特に図１、２に示すように、選択的に複数個の層板２２１が間隔をもって積み重なるように形成され、複数個の層板２２１は導電性のよい金属からなることができる。さらに、集塵体２２には他に一個の第一連接端子２２２が設けられる。第一連接端子２２２は、好ましくは、集塵体２２の側端縁に突き出る一個の接点からなり、かつ第一連接端子２２２はフレーム２１の側壁に設けられるその内の一個の欠け溝２１１の中に対応するように設けられ、さらにフレーム２１の外に露出するように形成される。これにより、第一連接端子２２２を利用して電連接高圧集塵発生装置１４ｂの内の一個の電気的接点に電気的に接続することにより、電気が供給された後、集塵体２２のそれぞれの層板２２１は、好ましくは負の電荷を有するように形成される。
【００２６】
この他に、電荷体２３も導電性部材によって製造される階層の構造からなり、特に図１、２に示すように、選択的に複数個の電極線２３１が間隔をもって引っ張るように形成される。複数個の電極線２３１は全て導電性のよい金属からなることができる。さらに、電荷体２３には他に一個の第二連接端子２３２が設けられる。第二連接端子２３２は、好ましくは、電荷体２３の側端縁に突き出る一個の接点からなり、かつ第二連接端子２３２はフレーム２１の側壁に設けられるもう一個の欠け溝２１１中に対応するように設けられ、さらにフレーム２１の外に露出するように形成される。これにより、第二連接端子２３２を利用して電連接高圧集塵発生装置１４ｂのもう一個の電気的接点に電気的に接続することにより、電気が供給された後、電荷体２３のそれぞれの電極線２３１は、好ましくは正の電荷を有するように形成される。
【００２７】
その他に、集塵体２２と電荷体２３を組み立てる時に互いに非接触状態であることを確保すべく、本考案の実施例において、集塵ユニット２には他に二個の組み立て部材２４と二個の固定部材２５が含まれる。二個の組み立て部材２４は集塵体２２と電荷体２３を収容するのに用いられ、かつ二個の固定部材２５はそれぞれ少なくとも一個のボルトを利用して（図示なし）集塵体２２と電荷体２３を位置合わせして固定する。その中、二個の組み立て部材２４は同じ構造を有する二個の相対する柱体からなり、かつ好ましくは、フレーム２１の相対する両側の内周壁に係止することができる。
【００２８】
また、本考案の実施例において、二個の組み立て部材２４には複数個の挿入溝２４１が設けられる。複数個の挿入溝２４１は、好ましくは図１、２に示すように、互いに位置ずれするように形成されることにより、集塵体２２の複数個の層板２２１と電荷体２３の複数個の電極線２３１は互いに位置ずれするように挿設される。電荷体２３の複数個の電極線２３１はそれぞれ集塵体２２のいかなる二個の隣接する層板２２１の間に位置することができるため、よりよい電荷と集塵の作用を有することができる。
【００２９】
上述した集塵体２２と電荷体２３を組み立てるための部材は、組み立て部材２４と固定部材２５に限定されるものではなく、ここではよりよい実施例を参考として提供するものであって、集塵体２２と電荷体２３が互いに接触しない状態で集塵体２２と電荷体２３との組み立てがより安定したものになることを原則として、同じ概念の下で異なる部材と取り替えることもできる。
【００３０】
図３は本考案の空気清浄機の作動時の断面の説明図である。図３を参照すると、本考案の空気清浄機を上述した部材に基づいて組み立てて完成した後、空気清浄機は排気ファン１２のファン本体１２ｂを駆動し、図面の矢印の方向から外部の空気を吸い込むことにより、外部の空気は吸気口１３１を通過してエアカバー１１の内に流通し、さらに集塵ユニット２を経由してその中に含まれる浮遊粒子または細菌、塵、ダニなどのアレルゲンをろ過した後、排気口１１１からろ過された清浄の空気は排出されるため、空気をろ過する効果を達成することができる。
【００３１】
図４は本考案の空気清浄機の一部の作動時の断面の説明図である。図４を参照すると、空気清浄機が作動され、排気ファン１２のファン本体１２ｂが起動されて回転する過程において、同時に高圧電源１４ａから電流を出力し、さらに高圧集塵発生装置１４ｂを経て適当に調整された後、集塵ユニット２に通電することができるため、集塵ユニット２の集塵体２２は大量な負の電荷を有するように形成され、かつ集塵ユニット２の電荷体２３は大量な正の電荷を有するように形成される。
【００３２】
このように、外部の空気が電荷体２３を通過する時、電荷体２３の複数個の電極線２３１は高圧放電の効果によってコロナ電流が生じられるため、上記コロナ電流が空気中に含まれる浮遊粒子または細菌、塵、ダニなどのアレルゲン（以下「微塵粒子」と称する）を衝撃することにより、上記微塵粒子は正の電荷を帯電される。そして、この正の電荷を有する微塵粒子が集塵体２２の複数個の層板２２１を通過する時、直ちに複数個の層板２２１が有する負の電荷によって吸引され、かつその表面に付着し易くなり、集塵体２２によって大量の微塵粒子を吸い付けることができ、これによって空気を清浄する効果を達成することができる。
【００３３】
本考案による空気清浄機の主な特徴は、外部から加えられる高電圧によって集塵体２２と電荷体２３には二個の極性が反対になる電場が形成され、さらに異なる電荷は互いに吸引し合う原理に基づき、集塵ユニット２を通過した微塵粒子は電荷体２３のそれぞれの電極線２３１が放電して衝撃することによって正の電荷を帯電し、さらにクーロン力の作用の下で正の電荷を有する上記微塵粒子は直ちに負の電荷を有する集塵体２２に向かって移動し、さらに集塵体２２のそれぞれの層板２２１の表面に付着することにより、微塵粒子は空気の流動に従ってその中で漂って散布しなくなるのを確保することができるため、空気を清浄する効果に達することができる。
【００３４】
その他に、集塵体２２に付着される上記微塵粒子は容易に除かれるため、微塵粒子が積み重なることによって吸気口１３１が詰まってしまうとのことはなくなるため、従来における定期的なフィルターの取り替えによって掛かるコストを節約することができ、さらに集塵ユニット２の使用上における長期的な効果を維持することができ、そして空気清浄機の使用上の利便性を相対的に高めることができる。それ故、本考案の空気清浄機によれば、よりよい吸気量を維持することができるため、空気清浄機の作動効果を確保することができる。
【００３５】
本考案は、その精神および必須の特徴事項から逸脱することなく他のやり方で実施することもできる。従って、本明細書に記載した好ましい実施例は例示的なものであり、限定を意図するものではない。
【符号の説明】
【００３６】
１    排気ユニット
１１    エアカバー
１１ａ    カバー本体
１１ｂ    底座
１１１    排気口
１２    排気ファン
１２ａ    底板
１２ｂ    ファン本体
１２１    立て板
１２２    収容空間
１２３    窓口
１３    封止板
１３１    吸気口
１４    高電圧ユニット
１４ａ    高圧電源
１４ｂ    高圧集塵発生装置
２    集塵ユニット
２１    フレーム
２１１    欠け溝
２２    集塵体
２２１    層板
２２２    第一連接端子
２３    電荷体
２３１    電極線
２３２    第二連接端子
２４    組み立て部材
２４１    挿入溝
２５    固定部材
９    空気清浄機
９１    エアカバー
９１１    排気口
９２    排気ファン
９２１    吸気道
９３    フィルター
９４    封止板
９４１    吸気口
【図１】
0003178634.tif 000003
【図２】
0003178634.tif 000004
【図３】
0003178634.tif 000005
【図４】
0003178634.tif 000006
【図５】
0003178634.tif 000007